(57)【要約】【課題】  本体側面のタッチパネル機能を有する液晶表示部を操作する場合に、その明るさで周囲に迷惑をかけることを防止する。【解決手段】  ＥＶＦ（１４）で被写体像を確認している場合で、液晶表示部（１６）が、撮影者側に向い正転状態、被写体側に向いた反転状態、又は、本体に外向きに閉じた反転閉止状態にあるときには、システム制御部（４０）は、ＥＶＦ（１４）が消灯している場合と比べ、液晶表示部（１６）の輝度を低下させる。【選択図】  図２
2011055408.tif 000002
【特許請求の範囲】
【請求項１】
被写体像を画像信号に変換する撮像手段と、
撮影中の被写体像を表示し、覗き込むことでその表示画像を見ることのできる第１の表示手段と、
前記第１の表示手段の表示と非表示を選択する選択手段と、
本体に開閉可能に取り付けられ、開いた状態では被写体側と撮影者側の間で反転でき、撮影中の被写体像を表示する第２の表示手段と、
前記第２の表示手段の表示画面上に配置されるタッチパネルと、
前記第２の表示手段が被写体側に向いた反転状態かどうかを検出する反転状態検出手段と、
前記第２の表示手段の、前記本体に対する開閉状態を検出する開閉状態検出手段と、
前記選択手段、前記反転状態検出手段及び前記開閉状態検出手段の各出力に従い前記第２の表示手段の輝度を調節する制御手段
とを具備し、
前記制御手段は、前記第１の表示手段が表示を選択された場合で、前記第２の表示手段が前記撮影者側に向いている正転状態、前記被写体側に向いた前記反転状態、及び、前記本体に外向きに閉じられた反転閉止状態の何れかの状態にあるときには、前記第１の表示手段が非表示である場合よりも低い輝度に前記第２の表示手段を制御する
ことを特徴とする撮像装置。
【請求項２】
更に、周囲の明るさを検知する照度センサを具備し、
前記制御手段は、前記照度センサにより検出された照度に従い前記第２の表示手段の輝度を制御する
ことを特徴とする請求項１に記載の撮像装置。
【請求項３】
被写体像を画像信号に変換する撮像手段と、
撮影中の被写体像を表示し、覗き込むことでその表示画像を見ることのできる第１の表示手段と、
前記第１の表示手段の表示と非表示を選択する選択手段と、
本体に開閉可能に取り付けられ、開いた状態では被写体側と撮影者側の間で反転でき、撮影中の被写体像を表示する第２の表示手段と、
前記第２の表示手段の表示画面上に配置されるタッチパネルと、
前記第２の表示手段が被写体側に向いた反転状態かどうかを検出する反転状態検出手段と、
前記第２の表示手段の、前記本体に対する開閉状態を検出する開閉状態検出手段と、
前記第１の表示手段の表示画像を見る撮影者の接眼状態を検出する近接センサと、
前記選択手段、前記反転状態検出手段、前記開閉状態検出手段及び前記近接センサの各出力に従い前記第２の表示手段の輝度を調節する制御手段
とを具備し、
前記制御手段は、
前記第１の表示手段が表示を選択された場合で、前記第２の表示手段が前記撮影者側に向いている正転状態が検出されると、前記第１の表示手段が非表示の場合よりも低い輝度に前記第２の表示手段を制御し、
前記第１の表示手段が表示を選択された場合で、前記本体に外向きに閉じられる反転閉止状態が検出され、且つ、前記近接センサにより前記接眼状態が検出されると、前記第２の表示手段を非表示にし、
前記第１の表示手段が表示を選択された場合で、前記反転閉止状態で、前記近接センサにより非接眼状態が検出されると、前記第１の表示手段が非表示の場合よりも低い輝度に前記第２の表示手段を制御する
ことを特徴とする撮像装置。
【発明の詳細な説明】
【技術分野】
【０００１】
本発明は、撮像装置に関する。
【背景技術】
【０００２】
【先行技術文献】
【特許文献】
【０００３】
【特許文献１】特開２００１−３２６８４３号公報
【０００４】
従来、タッチパネル機能を有する液晶表示装置と電子ビューファインダ（ＥＶＦ）の両方を備えたビデオカメラにおいて、撮影時に、ＥＶＦ画面に被写体像と共に複数の操作ボタンがアイコン表示される構成が知られている。この構成において、ＥＶＦ画面の複数の操作ボタンは、実際には、タッチパネル機能を有する液晶表示装置のタッチパネルをブラインドタッチすることによって操作される。
【発明の概要】
【発明が解決しようとする課題】
【０００５】
従来例では操作ボタンを選択操作するために、タッチパネル機能を有する液晶表示部を開く必要があり、以下のような問題点があった。すなわち、劇場などの暗い環境でＥＶＦを使用して撮影を行っているとき、液晶表示部の明るさで周囲に迷惑をかける。また、液晶表示部を開き、そのバックライトを点灯させるので、電力を余計に消費する。
【０００６】
本発明は、このような不都合を解消又は低減する撮像装置を提示することを目的とする。
【課題を解決するための手段】
【０００７】
本発明に係る撮像装置は、被写体像を画像信号に変換する撮像手段と、撮影中の被写体像を表示し、覗き込むことでその表示画像を見ることのできる第１の表示手段と、前記第１の表示手段の表示と非表示を選択する選択手段と、本体に開閉可能に取り付けられ、開いた状態では被写体側と撮影者側の間で反転でき、撮影中の被写体像を表示する第２の表示手段と、前記第２の表示手段の表示画面上に配置されるタッチパネルと、前記第２の表示手段が被写体側に向いた反転状態かどうかを検出する反転状態検出手段と、前記第２の表示手段の、前記本体に対する開閉状態を検出する開閉状態検出手段と、前記選択手段、前記反転状態検出手段及び前記開閉状態検出手段の各出力に従い前記第２の表示手段の輝度を調節する制御手段とを具備し、前記制御手段は、前記第１の表示手段が表示を選択された場合で、前記第２の表示手段が前記撮影者側に向いている正転状態、前記被写体側に向いた前記反転状態、及び、前記本体に外向きに閉じられた反転閉止状態の何れかの状態にあるときには、前記第１の表示手段が非表示である場合よりも低い輝度に前記第２の表示手段を制御することを特徴とする。
【０００８】
本発明に係る撮像装置は、被写体像を画像信号に変換する撮像手段と、撮影中の被写体像を表示し、覗き込むことでその表示画像を見ることのできる第１の表示手段と、前記第１の表示手段の表示と非表示を選択する選択手段と、本体に開閉可能に取り付けられ、開いた状態では被写体側と撮影者側の間で反転でき、撮影中の被写体像を表示する第２の表示手段と、前記第２の表示手段の表示画面上に配置されるタッチパネルと、前記第２の表示手段が被写体側に向いた反転状態かどうかを検出する反転状態検出手段と、前記第２の表示手段の、前記本体に対する開閉状態を検出する開閉状態検出手段と、前記第１の表示手段の表示画像を見る撮影者の接眼状態を検出する近接センサと、前記選択手段、前記反転状態検出手段、前記開閉状態検出手段及び前記近接センサの各出力に従い前記第２の表示手段の輝度を調節する制御手段とを具備し、前記制御手段は、前記第１の表示手段が表示を選択された場合で、前記第２の表示手段が前記撮影者側に向いている正転状態が検出されると、前記第１の表示手段が非表示の場合よりも低い輝度に前記第２の表示手段を制御し、前記第１の表示手段が表示を選択された場合で、前記本体に外向きに閉じられる反転閉止状態が検出され、且つ、前記近接センサにより前記接眼状態が検出されると、前記第２の表示手段を非表示にし、前記第１の表示手段が表示を選択された場合で、前記反転閉止状態で、前記近接センサにより非接眼状態が検出されると、前記第１の表示手段が非表示の場合よりも低い輝度に前記第２の表示手段を制御することを特徴とする。
【発明の効果】
【０００９】
本発明によれば、第１の表示手段使用時は第２の表示手段の輝度を低下させる。タッチパネル機能を有する第２の表示手段を開いた場合でも、第２の表示手段の明るさで周囲に迷惑をかけずに済み、消費電力を削減できる。
【図面の簡単な説明】
【００１０】
【図１】本発明の実施例１であるビデオカメラの外観斜視図である。
【図２】実施例１の概略構成ブロック図である。
【図３】本発明の実施例２であるビデオカメラの外観斜視図である。
【図４】実施例２の概略構成ブロック図である。
【図５】本発明の実施例３でるビデオカメラの概略構成ブロック図である。
【発明を実施するための形態】
【００１１】
以下、図面を参照して、本発明の実施例を詳細に説明する。
【実施例１】
【００１２】
図１は、本発明の実施例１であるビデオカメラの外観斜視図を示し、図２は、本実施例の概略構成ブロック図を示す。
【００１３】
本実施例のビデオカメラ１０は、本体の前面にレンズ１２が配置され、背面に、撮像される被写体像を映像表示する第１の表示手段であるＥＶＦ１４が配置される。本体の側面に、第２の表示手段である液晶表示部１６が配置される。ＥＶＦ１４および液晶表示部１６は、撮影中の被写体像を表示可能である。液晶表示部１６は、カメラ本体に対し、ヒンジ部１８に設けられた開閉軸を中心に図１の矢印Ａ方向に開閉可能であり、この開閉軸に対して直交するヒンジ部１８の回動軸を中心に矢印Ｂ方向に回動可能である。
【００１４】
液晶表示部１６もまた、撮像される被写体を映像表示するのにも使用される。液晶表示部１６は、再生映像や撮影映像を表示可能な液晶パネル２０と、液晶パネル２０の前面に配置されるタッチパネル２２と、液晶パネル２０を背面側から照明するバックライト２４からなる。タッチパネル２２は、ビデオカメラの設定を表示画面上で行うためのメニュー操作や再生操作に使用される。
【００１５】
電池２６は、本体に脱着可能な二次電池である。電源スイッチ２８は、カメラ１０の電源をオン／オフ操作する切替えスイッチである。モード切替えスイッチ３０は、カメラ記録モードと再生モードを切り替える切替えスイッチである。録画ボタン３２は、カメラ撮影のスタート／ストップを指示するスイッチである。ＥＶＦスイッチ３４は、ＥＶＦ１４を独立制御によりオン／オフ操作する切替えスイッチであり、表示と非表示を選択する選択手段でもある。
【００１６】
図２は、図１に示すビデオカメラの概略構成ブロック図を示す。電池２６は、カメラ１０に電源を供給し、システム制御部４０は、各回路ブロックへの給電を制御する。スタンバイ状態では、節電のため、システム制御部４０は、最低必要な回路ブロック以外の回路ブロックへの給電を停止する。
【００１７】
ヒンジ部１８内の開閉検出スイッチ４２が、液晶表示部１６が本体に対する開閉状態を検出する開閉状態検出手段として、その検出結果をシステム制御部４０に通知する。また、反転検出スイッチ４４は、液晶表示部１６が被写体側に反転している反転状態か否かを検出する反転状態検出手段として、その検出結果をシステム制御部４０に通知する。
【００１８】
システム制御部４０は、バックライト２４の電流制御する電源回路４６を介して、バックライト２４の輝度を制御する。システム制御部４０は、詳細は後述するが、開閉検出スイッチ４２及び反転検出スイッチ４４の検出結果によっても、バックライト２４の輝度を制御する。すなわち、システム制御部４０と電源回路４６は、液晶パネル２０の輝度を調節する輝度制御手段として機能する。
【００１９】
システム制御部４０には、電源スイッチ２８、モード切替えスイッチ３０、録画ボタン３２及び液晶表示部１６のタッチパネル２２が接続する。
【００２０】
本実施例では、電源スイッチ２８を押すことでカメラ１０に電源が供給される。モード切替えスイッチ３０を操作し、カメラ記録モードに設定する。
【００２１】
映像・音声入力装置４８は、レンズ１２による被写体光学像を画像信号に変換し、所定形式の映像信号を出力する撮像部と、音声を入力するマイク等の音声入力手段からなる。信号処理部５０は、映像・音声入力装置４８からの映像信号に各種信号処理を行い、システム制御部４０に供給する。システム制御部４０は、信号処理部５０からの映像信号を表示用に加工して、液晶パネル２０及び／又はＥＶＦ１４に供給し、画像表示させる。
【００２２】
撮影者が録画ボタン３２を押すと、システム制御部４０は、信号処理部５０からの映像音声信号を記録再生部５２に転送し、図示しない記録媒体に記録させる。
【００２３】
本実施例では、ＥＶＦスイッチ３４をオフにすることで、ＥＶＦ１４のＥＶＦパネル５４を消灯（非表示）にすることができる。この状態で、撮影者が液晶表示部１６を使用して撮影するときの動作を説明する。
【００２４】
液晶パネル２０が撮影者側に向いている正転状態では、システム制御部４０は、開閉検出スイッチ４２と反転検出スイッチ４４の検出結果で正転状態を識別し、液晶パネル２０を点灯（表示）状態にする。このときのバックライト２４の輝度は、通常輝度（電流値１２ｍＡ）に設定される。撮影者は液晶パネル２０の表示画像を見ながら撮影する。ビデオカメラの設定を行う場合は、液晶パネル２０の表示画面を見ながら、タッチパネル２２を操作する。
【００２５】
液晶パネル２０がカメラ本体側に向けて閉じられ収納されている正転収納状態（正転閉止状態）では、スタンバイ状態に設定される。すなわち、システム制御部４０は、開閉検出スイッチ４２と反転検出スイッチ４４の検出結果で正転収納状態を識別し、液晶パネル２０を消灯（非表示）させ、スタンバイ状態に設定する。ＥＶＦスイッチ３４がオフに設定されているとき、システム制御部４０は、液晶表示部１６の開閉動作に応じて、スタンバイ状態を設定／解除する。
【００２６】
液晶パネル２０が被写体側、つまりレンズ１２と同方向に向いた反転状態にあるとき、システム制御部４０は、開閉検出スイッチ４２と反転検出スイッチ４４の検出結果で反転状態を識別し、液晶パネル２０を点灯（表示）させる。このときのバックライト２４の輝度は、通常輝度（電流値１２ｍＡ）に設定される。被写体となった人物は、液晶パネル２０の表示される画像で自己の姿を視覚的に確認できる。
【００２７】
液晶パネル２０がカメラ１０の筐体に外側向きに閉じられ収納されている反転収納状態（反転閉止状態）では、システム制御部４０は、開閉検出スイッチ４２と反転検出スイッチ４４の検出結果で反転収納状態を識別し、液晶パネル２０を点灯（表示）させる。このときのバックライト２４の輝度は通常輝度（電流値１２ｍＡ）に設定される。ビデオカメラの設定を行う場合は、液晶パネル２０の表示画面を見ながら、タッチパネル２２を操作する。
【００２８】
ＥＶＦスイッチ３４をオンにしてＥＶＦパネル５４を点灯（表示）設定した状態で、撮影者がＥＶＦ１４を覗いて撮影するときの動作を説明する。
【００２９】
液晶パネル２０が撮影者側を向いた正転状態では、システム制御部４０は、開閉検出スイッチ４２と反転検出スイッチ４４の検出出力で正転状態を識別し、液晶パネル２０を点灯させる。このときのバックライト２４の輝度は、低輝度（電流値２ｍＡ）に設定される。このときの低輝度レベルは、撮影者が液晶パネル２０の表示画面操作ボタンのアイコン表示を視認でき、且つ、暗い環境で周囲に迷惑にならない程度の明るさである。撮影者は、ビデオカメラの設定を行う場合、ＥＶＦパネル５４の操作ボタン表示を見ながら、タッチパネル２２をブラインドタッチで操作する。ブラインドタッチで上手く操作できない場合、撮影者は、液晶パネル２０の表示画面を見て操作ボタンの場所を確認し、操作することになる。
【００３０】
液晶パネル２０がカメラ本体に向けて閉じられ収納されている正転収納状態（正転閉止状態）では、システム制御部４０は、開閉検出スイッチ４２と反転検出スイッチ４４の検出結果で正転収納状態を識別し、液晶パネル２０を消灯状態にする。撮影者は、ＥＶＦ１４を覗いて撮影する。このとき、撮影者は、タッチパネル２２を操作できない。
【００３１】
液晶パネル２０が被写体側、つまりレンズ１２と同方向に向いた反転状態では、システム制御部４０は、開閉検出スイッチ４２と反転検出スイッチ４４の検出結果で反転状態を識別し、液晶パネル２０を点灯状態にする。このときのバックライト２４の輝度は、通常輝度（電流値１２ｍＡ）に設定される。撮影者は、ＥＶＦ１４を覗いて撮影し、被写体となった人物は、液晶パネル２０に表示される画像で自己の姿を視覚的に確認できる。
【００３２】
液晶パネル２０がカメラ本体に外側向きに収納されている反転収納状態（反転閉止状態）では、システム制御部４０は、開閉検出スイッチ４２と反転検出スイッチ４４の検出結果で反転収納情報を識別し、液晶パネル２０を点灯状態にする。このときのバックライト２４の輝度は、低輝度（電流値２ｍＡ）に設定される。撮影者は、ビデオカメラの設定を行う場合、ＥＶＦパネル５４の操作ボタン表示を見ながら、タッチパネル２２をブラインドタッチで操作する。ブラインドタッチで上手く操作できない場合、撮影者は、液晶パネル２０の表示画面を見て操作ボタンの場所を確認し操作する。
【００３３】
このように、本実施例によれば、ＥＶＦ１４を覗きながら撮影している場合、液晶表示部１６を開いても、バックライト２４の輝度が低輝度に設定されるので、劇場等の暗い環境でも周囲に液晶表示部１６の明るさで迷惑をかけることを防止できる。また、通常輝度よりもバックライト電流を１０ｍＡ下げるので、消費電力を低減出来る。
【実施例２】
【００３４】
図３は、本発明の第２実施例の外観斜視図を示す。図１に示す実施例に対して、ビデオカメラ１０ａの液晶表示部１６ａに、周囲の明るさを検知する照度センサ３６を設けている。図４は、図３に示す実施例の概略構成ブロック図を示す。システム制御部４０ａは、システム制御部４０の機能に加えて、照度センサ３６により検知される周囲の明るさに応じて、バックライト２４の電流を制御する機能を具備する。図１及び図２に示す要素と同じ機能の要素には同じ符号を付してある。
【００３５】
本実施例でも、ＥＶＦスイッチ３４をオフにすることで、ＥＶＦ１４のＥＶＦパネル５４を消灯（非表示）することができる。この状態で、撮影者が液晶表示部１６ａを使用して撮影できるが、その動作は、実施例１と同様であるので、説明を省略する。
【００３６】
ＥＶＦスイッチ３４をオンにしてＥＶＦパネル５４を点灯（表示）設定した状態で、撮影者がＥＶＦ１４を覗いて撮影するときの動作を説明する。
【００３７】
液晶パネル２０が撮影者側を向いた正転状態では、システム制御部４０ａは、開閉検出スイッチ４２と反転検出スイッチ４４の検出出力で正転状態を識別し、液晶パネル２０を点灯させる。このときのバックライト２４の輝度は、照度センサ３６により検知した明るさが所定明るさレベルより暗い場合は低輝度（電流値２ｍＡ）に、所定明るさレベルより明るいときは通常輝度（電流値１２ｍＡ）に設定される。所定明るさレベルは、低輝度（電流値２ｍＡ）では、液晶パネル２０の表示画面の操作ボタンを認識困難となる晴天時の屋外などの明るさレベルとする。このときの低輝度レベルは暗い環境で周囲に迷惑にならない明るさである。
【００３８】
撮影者は、ビデオカメラの設定を行う場合、ＥＶＦパネル５４の操作ボタン表示を見ながら、タッチパネル２２をブラインドタッチで操作する。ブラインドタッチで上手く操作できない場合、撮影者は、液晶パネル２０の表示画面を見て操作ボタンの場所を確認し、操作することになる。
【００３９】
液晶パネル２０がカメラ本体側に向けて閉じられ収納されている正転収納状態（正転閉止状態）では、システム制御部４０ａは、開閉検出スイッチ４２と反転検出スイッチ４４の検出結果で正転収納状態を識別し、液晶パネル２０を消灯状態にする。撮影者は、ＥＶＦ１４を覗いて撮影する。このとき、撮影者は、タッチパネル２２を操作できない。
【００４０】
液晶パネル２０が被写体側、つまりレンズ１２と同方向に向いた反転状態では、システム制御部４０ａは、開閉検出スイッチ４２と反転検出スイッチ４４の検出結果で反転状態を識別し、液晶パネル２０を点灯状態にする。このときのバックライト２４の輝度は、通常輝度（電流値１２ｍＡ）に設定される。撮影者は、ＥＶＦ１４を覗いて撮影し、被写体となった人物は、液晶パネル２０に表示される画像で自身を視認出来る。
【００４１】
液晶パネル２０が、本体に外側向きに収納されている反転収納状態（反転閉止状態）では、システム制御部４０ａは、開閉検出スイッチ４２と反転検出スイッチ４４の検出結果で反転収納情報を識別し、液晶パネル２０を点灯状態にする。このときのバックライト２４の輝度は、照度センサ３６により検知された明るさが、上記所定明るさレベルより暗い場合は低輝度（電流値２ｍＡ）に、上記所定明るさレベルより明るいときは通常輝度（電流値１２ｍＡ）に設定される。撮影者は、ビデオカメラの設定を行う場合、ＥＶＦパネル５４の操作ボタン表示を見ながら、タッチパネル２２をブラインドタッチで操作する。ブラインドタッチで上手く操作できない場合、撮影者は、液晶パネル２０の表示画面を見て操作ボタンの場所を確認し操作する。
【００４２】
このように、本実施例によれば、ＥＶＦ１４を覗きながら撮影している場合、液晶表示部１６を開いても、バックライト２４の輝度が周囲の明るさに応じた低輝度に設定される。これにより、劇場等の暗い環境でも周囲に液晶表示部１６の明るさで迷惑をかけることを防止できる。例えば、晴天の屋外など周囲が明るい環境では、明るく表示しても周囲の迷惑にならないので、液晶パネル２０を相対的に高い輝度で表示する。周囲が暗い場合には、液晶パネルの表示画面の操作ボタンをぎりぎり認識出来るような低輝度に明るさを制御する。これにより、周囲に迷惑をかけることなしに、液晶パネルの表示画面の操作ボタンを容易に認識でき、操作出来る。
【実施例３】
【００４３】
図５は、本発明の第３実施例の概略構成ブロック図を示す。図１に示す実施例に対し、図５に示すビデオカメラ１０ｂのＥＶＦ１４ｂには、撮影者が接眼状態にあるか非接眼状態にあるかを検知する近接センサ５６を設けている。システム制御部４０ｂは、システム制御部４０の機能に加えて、近接センサ５６の出力に応じて、以下に説明するように各部を制御する機能を具備する。
【００４４】
本実施例でも、ＥＶＦスイッチ３４をオフにすることで、ＥＶＦ１４ｂのＥＶＦパネル５４を消灯（非表示）することができる。この状態で、撮影者が液晶表示部１６を使用して撮影できるが、その動作は、実施例１と同様であるので、説明を省略する。
【００４５】
ＥＶＦスイッチ３４をオンにしてＥＶＦパネル５４を点灯（表示）設定した状態で、撮影者がＥＶＦ１４を覗いて撮影するときの動作を説明する。
【００４６】
液晶パネル２０が撮影者側を向いた正転状態では、システム制御部４０ｂは、開閉検出スイッチ４２と反転検出スイッチ４４の検出出力で正転状態を識別し、液晶パネル２０を点灯させる。このときのバックライト２４の輝度は、低輝度（電流値２ｍＡ）に設定される。このときの低輝度レベルは、撮影者が液晶パネル２０の表示画面操作ボタンのアイコン表示を視認でき、且つ、暗い環境で周囲に迷惑にならない程度の明るさである。  撮影者は、ビデオカメラ１０ｂの設定を行う場合、ＥＶＦパネル５４の操作ボタン表示を見ながら、タッチパネル２２をブラインドタッチで操作する。ブラインドタッチで上手く操作できない場合、撮影者は、液晶パネル２０の表示画面を見て操作ボタンの場所を確認し、操作することになる。
【００４７】
液晶パネル２０が本体に向けて閉じられ収納されている正転収納状態（正転閉止状態）では、システム制御部４０ｂは、開閉検出スイッチ４２と反転検出スイッチ４４の検出結果で正転収納状態を識別し、液晶パネル２０を消灯状態にする。撮影者は、ＥＶＦ１４を覗いて撮影する。このとき、撮影者は、タッチパネル２２を操作できない。
【００４８】
液晶パネル２０が被写体側、つまりレンズ１２と同方向に向いた反転状態では、システム制御部４０ｂは、開閉検出スイッチ４２と反転検出スイッチ４４の検出結果で反転状態を識別し、液晶パネル２０を点灯状態にする。このときのバックライト２４の輝度は、通常輝度（電流値１２ｍＡ）に設定される。撮影者は、ＥＶＦ１４を覗いて撮影し、被写体となった人物は、液晶パネル２０に表示される画像で自身を視認出来る。
【００４９】
液晶パネル２０が本体に外向きに収納されている反転収納状態（反転閉止状態）では、システム制御部４０ｂは、開閉検出スイッチ４２と反転検出スイッチ４４の検出結果で反転収納情報を識別し、液晶パネル２０を点灯させる。近接センサ５６により撮影者の接眼を検知した場合、システム制御部４０ｂはバックライト２４を消灯する。近接センサ５６により撮影者の接眼を検知できない場合、システム制御部４０ｂは、バックライト２４の輝度を低輝度（電流値２ｍＡ）に設定する。
【００５０】
撮影者は、ビデオカメラの設定を行う場合、ＥＶＦパネル５４の操作ボタン表示を見ながら、タッチパネル２２をブラインドタッチで操作する。このとき、システム制御部４０ｂはバックライト２４を消灯する。ブラインドタッチで上手く操作できない場合で、撮影者がＥＶＦ１４ｂから目を離すと、システム制御部４０ｂは、近接センサ５６の出力によりバックライト２４を低輝度で点灯する。これにより、撮影者は、液晶パネル２０の表示画面を見て操作ボタンの場所を確認し操作できる。
【００５１】
このように、本実施例では、反転収納状態（反転閉止状態）でＥＶＦを覗いているときにバックライトが消灯されるので、消費電力を更に削減できる。
【００５２】
本発明は、上記実施例に限られるものではなく、発明の要旨を逸脱しない範囲の様々な形態を含む。上述の実施例を部分的に又は全体的に組み合わせてもよい。
【符号の説明】
【００５３】
１０，１０ａ，１０ｂ：ビデオカメラ
１４，１４ｂ：ＥＶＦ部
１６，１６ａ：液晶表示部
２０：液晶パネル
２２：タッチパネル
２４：バックライト
【図１】
2011055408.tif 000003
【図２】
2011055408.tif 000004
【図３】
2011055408.tif 000005
【図４】
2011055408.tif 000006
【図５】
2011055408.tif 000007